(57)【要約】【課題】本発明はインテリジェント廊下煙報知消火設備をを提供した。【解決手段】壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現し、本装置は作動する時に四周に水を噴射して火を消すことができれば、需要によって四周に噴射された水を集めて加圧して噴射することもでき、また噴射の角度を調節でき、それによって火を集中して消すことに便利を与え、且つ水を噴射する範囲を増加し、それによって逃亡者の逃亡に便利である。【選択図】図１
2020182806.tif 000002
【特許請求の範囲】
【請求項１】
正面視で、壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現し、
前記壁の下端面には装置を作動させ始めるか否かのを制御する煙報知器が固定され、前記壁の中にはまた水を蓄えることができる貯水チャンバが設置され、前記煙報知器が火災の発生をセンサーした時、貯水チャンバの中に水を加え、同時に前記煙報知器は集中して一方向に噴射する必要があるか否かを判断し、必要であれば前記駆動機構を制御して作動させ、噴射機構を一方向に回転させ、そして前記駆動機構の出力する動力を高めることによって、前記貯水チャンバから流す水の圧力が増加し、それによって前記噴射機構によって噴射する水がより遠く、水を集中して火を消すことに便利を与え、前記噴射機構が水を分散して噴射する必要があれば、前記煙報知器は前記駆動機構の作動を制御しなく、前記貯水チャンバの中の水が直接に前記噴射機構によって四周に分散して噴射され、
前記噴射機構はメイン流れ道と、二つの伸縮ばねと、環状板と、四つのＬロッドと、環状ブロックと、四つの昇降ブロックと、噴射ブロックとを含み、前記壁の下側には前記噴射ブロックが設置され、前記噴射ブロックの中には前記噴射ブロックを貫通した前記メイン流れ溝が形成されており、前記噴射ブロックの中には前記メイン流れ道を中心に設置された円環チャンバが設置され、前記円環チャンバの内壁の中にはまた前記円環チャンバに連通した環状溝が形成されており、前記環状溝の中には前記環状板及び二つの前記環状板を復帰させることができる前記伸縮ばねが設置され、前記円環チャンバの中には四つの前記昇降ブロック及び一つの前記環状ブロックが設置され、前記環状板の下端には四つの一端が前記円環チャンバの中に位置しており、且つ前記昇降ブロックと前記環状ブロックとにきつく挟まれた前記Ｌロッドが固定されていることを特徴とするインテリジェント廊下煙報知消火設備。
【請求項２】
前記駆動機構はモーターと、駆動軸と、駆動ギヤと、駆動盤と、回転盤と、円錐形柱と、円柱と、二つの位置制限板と、二つ位置制限ばねと、回字型ブロックと、従動軸と、第一ベベルギヤと、第二ベベルギヤと、遠心輪と、ベルトと、タービン羽根車軸と、第二ベルトプーリと、タービン羽根車と、第一ベルトプーリと、電磁石と水入りパイプとを含み、前記環状チャンバの中には前記駆動盤と前記回転盤とが設置され、前記回転盤の上端には前記円錐形柱が固定され、前記駆動盤の中には前記駆動盤を貫通した貫通チャンバが設置され、前記貫通チャンバの前後端壁の中にはいずれも前記貫通チャンバに連通した位置制限溝が形成されており、前記貫通チャンバの中には上端が前記回転盤を上方へプッシュする前記円柱が設置され、前記円柱の前後両端にはいずれも一端が前記位置制限溝の中に位置している位置制限板が設置され、前記位置制限溝の中の上端壁には下端が前記位置制限板と連結された前記位置制限ばねが設置され、前記環状チャンバの左端壁の中には前記環状チャンバに連通した駆動チャンバが設置され、前記駆動チャンバの上端壁には前記モーターが設置され、前記モーターの下端には前記駆動軸が動力が伝達できるように連結され、前記駆動軸には前記第一ベベルギヤと前記第一ベルトプーリとが固定され、前記駆動軸にはまた前記駆動盤の左端と噛み合っている前記駆動ギヤがスライドできるように連結され、前記駆動チャンバの中には回字型ブロックが設置され、前記回字型ブロックの下側にはまた前記電磁石が設置され、前記駆動チャンバの左側壁には前記回字型ブロックの中心を通過する前記従動軸が回転できるように連結され、前記従動軸には前記第一ベベルギヤの左端と噛み合っている前記第二ベベルギヤが固定され、前記従動軸にはまた快速度で回転する時に前記回字型ブロックを上方へプッシュする前記遠心輪が固定され、前記駆動ギヤの左端が前記回字型ブロックの中心を貫通しており、前記貯水チャンバの上端壁の中には従動チャンバが設置され、前記従動チャンバの上端壁には下端が前記貯水チャンバの中に位置している前記タービン羽根車軸が回転できるように連結され、前記タービン羽根車軸の下端には前記タービン羽根車が固定され、且つ前記タービン羽根車軸の上端には前記第二ベルトプーリが固定され、前記第一ベルトプーリと前記第二ベルトプーリとの間が前記ベルトによって連結され、また前記円錐形ブロックの下端が前記ベルトの中心に位置していることを特徴とする請求項１に記載のインテリジェント廊下煙報知消火設備。
【請求項３】
前記噴射機構はまた四つの分流道と、四つの伸縮ばねと、二本のロープと、二つの切断ブロックと、二つの従動ばねとを含み、前記噴射ブロックの中には前記噴射ブロックを貫通した前記メイン流れ溝が形成されており、前記噴射ブロックの中にはまた四つの外部空間と前記メイン流れ溝とを連通した前記分流道が設置され、前記環状ブロックの下端には下端が前記円環チャンバの下端壁と連結された四つの前記圧縮ばねが固定され、前記円環チャンバの下端壁には四つの前記分流道を貫通した昇降溝が形成されており、前記昇降溝の中には前記分流道を切断でき、且つ上端が前記環状ブロックと連結された前記切断板が設置され、前記切断板の中には前記切断板を貫通し、且つ前記分流道に連通した貫通穴が設置され、前記噴射ブロックの中にはまた前記メイン流れ道を切断できる移動チャンバが設置され、前記移動チャンバの中には二つの前記メイン流れ道を切断できる前記切断ブロックが設置され、前記切断ブロックと前記移動チャンバの端壁との間が前記従動ばねによって連結され、左右両側の前記切断板の下端にはいずれもロープが固定され、前記ロープの下端が前記移動チャンバの端壁を貫通し、且つ前記切断ブロックと連結されていることを特徴とする請求項１に記載のインテリジェント廊下煙報知消火設備。
【請求項４】
前記昇降機構は四つの昇降板と、四本の昇降ロッドと、八つの昇降ばねと、四つの円球と、四つの固定ブロックと、四つの連結ばねと、四つの固定ロッドと、送水ホースとを含み、前記環状チャンバの下端壁の中には四つの上方に開口した昇降チャンバが設置され、前記昇降チャンバの中には前記昇降板及び二つの前記昇降板を支持する前記昇降ばねが設置され、前記噴射ブロックの上端には上方に開口した四つの円溝が形成されており、前記円溝の中には回転できるが前記円溝から離れることができない前記円球が設置され、前記昇降板の下端には下端が前記昇降チャンバの下端壁と前記円溝の上端壁とを貫通し、且つ前記円球と連結された前記昇降ロッドが固定され、前記貯水チャンバの下端壁には下端が外部空間の中に位置している前記送水ホースが設置され、前記送水ホースの下端が前記噴射ブロックと固定的に連結され、且つ前記送水ホースが前記メイン流れ道に連通しており、前記壁の下端壁には四つの前記固定ブロックが固定され、前記固定溝の中には下方に開口したばね溝が形成されており、前記ばね溝の上端壁には前記連結ばねが固定され、前記連結ばねの下端には下端が前記円環チャンバの上端壁を貫通し、且つ前記昇降ブロックと連結された前記固定ロッドが固定されていることを特徴とする請求項１に記載のインテリジェント廊下煙報知消火設備。
【請求項５】
前記駆動軸と前記駆動ギヤとの間の摩擦力が大きいため、前記駆動軸が回転する時に前記駆動ギヤを回転連動させることができ、また前記電磁石が作動する時に前記駆動ギヤは前記駆動軸でスライドすることができることを特徴とする請求項２に記載のインテリジェント廊下煙報知消火設備。
【請求項６】
前記遠心輪は快速に回転して遠心運動が発生する時、前記遠心輪は前記回字型ブロックを支えることができることを特徴とする請求項２に記載のインテリジェント廊下煙報知消火設備。
【請求項７】
前記四つの連結ばねの弾力の総量は二つの伸縮ばねと四つの伸縮ばねの弾力との総量より大きく、前記一つの連結ばねの弾力は二つの伸縮ばねと四つの圧縮ばねの弾力の総量より小さいことを特徴とする請求項３又は請求項４に記載のインテリジェント廊下煙報知消火設備。
【請求項８】
前記ベルトは初期状態の下で緩め状態にあり、前記円錐形ブロックは下降した後に前記ベルトをきつく締めることができることを特徴とする請求項１に記載のインテリジェント廊下煙報知消火設備。
【発明の詳細な説明】
【技術分野】
【０００１】
本発明はインテリジェント廊下煙報知消火設備であり、主には消防消火分野に関わる。
【背景技術】
【０００２】
目家屋の廊下の頂部には煙報知器とスプリンクラー装置とが取り付けられ、しかし現階段のスプリンクラー装置は作動する時に大体四周に分散して水を噴射するのであり、噴射範囲が小さく、しかも水を有効に集中して消火することができなく、火勢を制御するのに不利で、逃亡者の逃亡に不便である。
【先行技術文献】
【特許文献】
【０００３】
【特許文献１】中国特許出願公開第１０９３５０８９６号明細書
【発明の概要】
【発明が解決しようとする課題】
【０００４】
本発明の解決しようとする技術的問題はインテリジェント廊下煙報知消火設備を提供し、廊下の頂部に消防するには水を集中して噴射する問題を克服し、消火範囲を高める。
【課題を解決するための手段】
【０００５】
本発明は以下の技術プランによって実現される。
【０００６】
本発明のインテリジェント廊下煙報知消火設備は、壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現する。
【０００７】
前記壁の下端面には装置を作動させ始めるか否かのを制御する煙報知器が固定され、前記壁の中にはまた水を蓄えることができる貯水チャンバが設置され、前記煙報知器が火災の発生をセンサーした時、貯水チャンバの中に水を加え、同時に前記煙報知器は集中して一方向に噴射する必要があるか否かを判断し、必要であれば前記駆動機構を制御して作動させ、噴射機構を一方向に回転させ、そして前記駆動機構の出力する動力を高めることによって、前記貯水チャンバから流す水の圧力が増加し、それによって前記噴射機構によって噴射する水がより遠く、水を集中して火を消すことに便利を与え、前記噴射機構が水を分散して噴射する必要があれば、前記煙報知器は前記駆動機構の作動を制御しなく、前記貯水チャンバの中の水が直接に前記噴射機構によって四周に分散して噴射される。
【０００８】
前記噴射機構はメイン流れ道と、二つの伸縮ばねと、環状板と、四つのＬロッドと、環状ブロックと、四つの昇降ブロックと、噴射ブロックとを含み、前記壁の下側には前記噴射ブロックが設置され、前記噴射ブロックの中には前記噴射ブロックを貫通した前記メイン流れ溝が形成されており、前記噴射ブロックの中には前記メイン流れ道を中心に設置された円環チャンバが設置され、前記円環チャンバの内壁の中にはまた前記円環チャンバに連通した環状溝が形成されており、前記環状溝の中には前記環状板及び二つの前記環状板を復帰させることができる前記伸縮ばねが設置され、前記円環チャンバの中には四つの前記昇降ブロック及び一つの前記環状ブロックが設置され、前記環状板の下端には四つの一端が前記円環チャンバの中に位置しており、且つ前記昇降ブロックと前記環状ブロックとにきつく挟まれた前記Ｌロッドが固定されている。
【０００９】
さらに、前記駆動機構はモーターと、駆動軸と、駆動ギヤと、駆動盤と、回転盤と、円錐形柱と、円柱と、二つの位置制限板と、二つ位置制限ばねと、回字型ブロックと、従動軸と、第一ベベルギヤと、第二ベベルギヤと、遠心輪と、ベルトと、タービン羽根車軸と、第二ベルトプーリと、タービン羽根車と、第一ベルトプーリと、電磁石と水入りパイプとを含み、前記環状チャンバの中には前記駆動盤と前記回転盤とが設置され、前記回転盤の上端には前記円錐形柱が固定され、前記駆動盤の中には前記駆動盤を貫通した貫通チャンバが設置され、前記貫通チャンバの前後端壁の中にはいずれも前記貫通チャンバに連通した位置制限溝が形成されており、前記貫通チャンバの中には上端が前記回転盤を上方へプッシュする前記円柱が設置され、前記円柱の前後両端にはいずれも一端が前記位置制限溝の中に位置している位置制限板が設置され、前記位置制限溝の中の上端壁には下端が前記位置制限板と連結された前記位置制限ばねが設置され、前記環状チャンバの左端壁の中には前記環状チャンバに連通した駆動チャンバが設置され、前記駆動チャンバの上端壁には前記モーターが設置され、前記モーターの下端には前記駆動軸が動力が伝達できるように連結され、前記駆動軸には前記第一ベベルギヤと前記第一ベルトプーリとが固定され、前記駆動軸にはまた前記駆動盤の左端と噛み合っている前記駆動ギヤがスライドできるように連結され、前記駆動チャンバの中には回字型ブロックが設置され、前記回字型ブロックの下側にはまた前記電磁石が設置され、前記駆動チャンバの左側壁には前記回字型ブロックの中心を通過する前記従動軸が回転できるように連結され、前記従動軸には前記第一ベベルギヤの左端と噛み合っている前記第二ベベルギヤが固定され、前記従動軸にはまた快速度で回転する時に前記回字型ブロックを上方へプッシュする前記遠心輪が固定され、前記駆動ギヤの左端が前記回字型ブロックの中心を貫通しており、前記貯水チャンバの上端壁の中には従動チャンバが設置され、前記従動チャンバの上端壁には下端が前記貯水チャンバの中に位置している前記タービン羽根車軸が回転できるように連結され、前記タービン羽根車軸の下端には前記タービン羽根車が固定され、且つ前記タービン羽根車軸の上端には前記第二ベルトプーリが固定され、前記第一ベルトプーリと前記第二ベルトプーリとの間が前記ベルトによって連結され、また前記円錐形ブロックの下端が前記ベルトの中心に位置している。
【００１０】
さらに、前記噴射機構はまた四つの分流道と、四つの伸縮ばねと、二本のロープと、二つの切断ブロックと、二つの従動ばねとを含み、前記噴射ブロックの中には前記噴射ブロックを貫通した前記メイン流れ溝が形成されており、前記噴射ブロックの中にはまた四つの外部空間と前記メイン流れ溝とを連通した前記分流道が設置され、前記環状ブロックの下端には下端が前記円環チャンバの下端壁と連結された四つの前記圧縮ばねが固定され、前記円環チャンバの下端壁には四つの前記分流道を貫通した昇降溝が形成されており、前記昇降溝の中には前記分流道を切断でき、且つ上端が前記環状ブロックと連結された前記切断板が設置され、前記切断板の中には前記切断板を貫通し、且つ前記分流道に連通した貫通穴が設置され、前記噴射ブロックの中にはまた前記メイン流れ道を切断できる移動チャンバが設置され、前記移動チャンバの中には二つの前記メイン流れ道を切断できる前記切断ブロックが設置され、前記切断ブロックと前記移動チャンバの端壁との間が前記従動ばねによって連結され、左右両側の前記切断板の下端にはいずれもロープが固定され、前記ロープの下端が前記移動チャンバの端壁を貫通し、且つ前記切断ブロックと連結されている。
【００１１】
さらに、前記昇降機構は四つの昇降板と、四本の昇降ロッドと、八つの昇降ばねと、四つの円球と、四つの固定ブロックと、四つの連結ばねと、四つの固定ロッドと、送水ホースとを含み、前記環状チャンバの下端壁の中には四つの上方に開口した昇降チャンバが設置され、前記昇降チャンバの中には前記昇降板及び二つの前記昇降板を支持する前記昇降ばねが設置され、前記噴射ブロックの上端には上方に開口した四つの円溝が形成されており、前記円溝の中には回転できるが前記円溝から離れることができない前記円球が設置され、前記昇降板の下端には下端が前記昇降チャンバの下端壁と前記円溝の上端壁とを貫通し、且つ前記円球と連結された前記昇降ロッドが固定され、前記貯水チャンバの下端壁には下端が外部空間の中に位置している前記送水ホースが設置され、前記送水ホースの下端が前記噴射ブロックと固定的に連結され、且つ前記送水ホースが前記メイン流れ道に連通しており、前記壁の下端壁には四つの前記固定ブロックが固定され、前記固定溝の中には下方に開口したばね溝が形成されており、前記ばね溝の上端壁には前記連結ばねが固定され、前記連結ばねの下端には下端が前記円環チャンバの上端壁を貫通し、且つ前記昇降ブロックと連結された前記固定ロッドが固定されている。
【００１２】
さらに、前記駆動軸と前記駆動ギヤとの間の摩擦力が大きいため、前記駆動軸が回転する時に前記駆動ギヤを回転連動させることができ、また前記電磁石が作動する時に前記駆動ギヤは前記駆動軸でスライドすることができる。
【００１３】
さらに、前記遠心輪は快速に回転して遠心運動が発生する時、前記遠心輪は前記回字型ブロックを支えることができる。
【００１４】
さらに、前記四つの連結ばねの弾力の総量は二つの伸縮ばねと四つの伸縮ばねの弾力との総量より大きく、前記一つの連結ばねの弾力は二つの伸縮ばねと四つの圧縮ばねの弾力の総量より小さい。
【００１５】
さらに、前記ベルトは初期状態の下で緩め状態にあり、前記円錐形ブロックは下降した後に前記ベルトをきつく締めることができる。
【発明の効果】
【００１６】
本発明の有益な効果は：本装置は構成が簡単で、操作が便利であり、本装置は作動する時に四周に水を噴射して火を消すことができれば、需要によって四周に噴射された水を集めて加圧して噴射することもでき、また噴射の角度を調節でき、それによって火を集中して消すことに便利を与え、且つ水を噴射する範囲を増加し、それによって逃亡者の逃亡に便利である。
【図面の簡単な説明】
【００１７】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成概略図
【図２】図２は本発明の実施例のＡ―Ａの構成概略図
【図３】図３は本発明の実施例のＢ―Ｂの構成概略図
【図４】図４は本発明の実施例の回字型ブロックの全断面の左側面の拡大構成概略図
【発明を実施するための形態】
【００１９】
付図１〜４に示した上記のインテリジェント廊下煙報知消火設備の機械構成図を参照し、壁１及び前記壁１の中に位置している環状チャンバ２を含み、前記壁１の中には装置の作動に動力を提供できる駆動機構５５が設置され、前記壁１の下側には前記駆動機構５５に制御されて運動する噴射機構５６が設置され、前記駆動機構５５と前記噴射機構５６との間は昇降機構５７によって伝動を実現する。
【００２０】
前記壁１の下端面には装置を作動させ始めるか否かのを制御する煙報知器２１が固定され、前記壁１の中にはまた水を蓄えることができる貯水チャンバ４が設置され、前記煙報知器２１が火災の発生をセンサーした時、貯水チャンバ４の中に水を加え、同時に前記煙報知器２１は集中して一方向に噴射する必要があるか否かを判断し、必要であれば前記駆動機構５５を制御して作動させ、噴射機構５６を一方向に回転させ、そして前記駆動機構５５の出力する動力を高めることによって、前記貯水チャンバ４から流す水の圧力が増加し、それによって前記噴射機構５６によって噴射する水がより遠く、水を集中して火を消すことに便利を与え、前記噴射機構５６が水を分散して噴射する必要があれば、前記煙報知器２１は前記駆動機構５５の作動を制御しなく、前記貯水チャンバ４の中の水が直接に前記噴射機構５６によって四周に分散して噴射される。
【００２１】
前記駆動機構５５はモーター１３と、駆動軸１８と、駆動ギヤ２０と、駆動盤４９と、回転盤３と、円錐形柱１０と、円柱５０と、二つの位置制限板５３と、二つ位置制限ばね５２と、回字型ブロック１９と、従動軸１７と、第一ベベルギヤ１１と、第二ベベルギヤ１４と、遠心輪１６と、ベルト９と、タービン羽根車軸７と、第二ベルトプーリ６と、タービン羽根車８と、第一ベルトプーリ１２と、電磁石６１と水入りパイプ５８とを含み、前記環状チャンバ２の中には前記駆動盤４９と前記回転盤３とが設置され、前記回転盤３の上端には前記円錐形柱１０が固定され、前記駆動盤４９の中には前記駆動盤４９を貫通した貫通チャンバ５１が設置され、前記貫通チャンバ５１の前後端壁の中にはいずれも前記貫通チャンバ５１に連通した位置制限溝５４が形成されており、前記貫通チャンバ５１の中には上端が前記回転盤３を上方へプッシュする前記円柱５０が設置され、前記円柱５０の前後両端にはいずれも一端が前記位置制限溝５４の中に位置している位置制限板５３が設置され、前記位置制限溝５４の中の上端壁には下端が前記位置制限板５３と連結された前記位置制限ばね５２が設置され、前記環状チャンバ２の左端壁の中には前記環状チャンバ２に連通した駆動チャンバ１５が設置され、前記駆動チャンバ１５の上端壁には前記モーター１３が設置され、前記モーター１３の下端には前記駆動軸１８が動力が伝達できるように連結され、前記駆動軸１８には前記第一ベベルギヤ１１と前記第一ベルトプーリ１２とが固定され、前記駆動軸１８にはまた前記駆動盤４９の左端と噛み合っている前記駆動ギヤ２０がスライドできるように連結され、前記駆動チャンバ１５の中には回字型ブロック１９が設置され、前記回字型ブロック１９の下側にはまた前記電磁石６１が設置され、前記駆動チャンバ１５の左側壁には前記回字型ブロック１９の中心を通過する前記従動軸１７が回転できるように連結され、前記従動軸１７には前記第一ベベルギヤ１１の左端と噛み合っている前記第二ベベルギヤ１４が固定され、前記従動軸１７にはまた快速度で回転する時に前記回字型ブロック１９を上方へプッシュする前記遠心輪１６が固定され、前記駆動ギヤ４９の左端が前記回字型ブロック１９の中心を貫通しており、前記貯水チャンバ４の上端壁の中には従動チャンバ５が設置され、前記従動チャンバ５の上端壁には下端が前記貯水チャンバ４の中に位置している前記タービン羽根車軸７が回転できるように連結され、前記タービン羽根車軸７の下端には前記タービン羽根車８が固定され、且つ前記タービン羽根車軸７の上端には前記第二ベルトプーリ６が固定され、前記第一ベルトプーリ１２と前記第二ベルトプーリ６との間が前記ベルト９によって連結され、また前記円錐形ブロック１０の下端が前記ベルト９の中心に位置している。
【００２２】
前記噴射機構５６はメイン流れ道５９と、四つの分流道３０と、二つの伸縮ばね４５と、環状板４３と、四つのＬロッド４１と、環状ブロック４０と、四つの昇降ブロック４２と、四つの切断板３７と、四つの圧縮ばね３９と、二本のロープ３６と、二つの切断ブロック３４と、二つの従動ばね３５と、噴射ブロック２９とを含み、前記壁１の下側には前記噴射ブロック２９が設置され、前記噴射ブロック２９の中には前記噴射ブロック２９を貫通した前記メイン流れ溝５９が形成されており、前記噴射ブロック２９の中にはまた四つの外部空間と前記メイン流れ溝５９とを連通した前記分流道３０が設置され、前記噴射ブロック２９の中には前記メイン流れ道５９を中心に設置された円環チャンバ３１が設置され、前記円環チャンバ３１の内壁の中にはまた前記円環チャンバ３１に連通した環状溝４４が形成されており、前記環状溝４４の中には前記環状板４３及び二つの前記環状板４３を復帰させることができる前記伸縮ばね４５が設置され、前記円環チャンバ３１の中には四つの前記昇降ブロック４２及び一つの前記環状ブロック４０が設置され、前記環状板４３の下端には四つの一端が前記円環チャンバ３１の中に位置しており、且つ前記昇降ブロック４２と前記環状ブロック４とにきつく挟まれた前記Ｌロッド４１が固定され、前記環状ブロック４０の下端には下端が前記円環チャンバ３１の下端壁と連結された四つの前記圧縮ばね３９が固定され、前記円環チャンバ３１の下端壁には四つの前記分流道３０を貫通した昇降溝３２が形成されており、前記昇降溝３２の中には前記分流道３０を切断でき、且つ上端が前記環状ブロック４０と連結された前記切断板３７が設置され、前記切断板３７の中には前記切断板３７を貫通し、且つ前記分流道３０に連通した貫通穴３８が設置され、前記噴射ブロック２９の中にはまた前記メイン流れ道５９を切断できる移動チャンバ３３が設置され、前記移動チャンバ３３の中には二つの前記メイン流れ道５９を切断できる前記切断ブロック３４が設置され、前記切断ブロック３４と前記移動チャンバ３３の端壁との間が前記従動ばね３５によって連結され、左右両側の前記切断板３７の下端にはいずれもロープ３６が固定され、前記ロープ３６の下端が前記移動チャンバ３３の端壁を貫通し、且つ前記切断ブロック３４と連結されている。
【００２３】
前記昇降機構５７は四つの昇降板４８と、四本の昇降ロッド４６と、八つの昇降ばね４７と、四つの円球２７と、四つの固定ブロック２２と、四つの連結ばね２４と、四つの固定ロッド２６と、送水ホース２５とを含み、前記環状チャンバ２の下端壁の中には四つの上方に開口した昇降チャンバ６０が設置され、前記昇降チャンバ６０の中には前記昇降板４８及び二つの前記昇降板４８を支持する前記昇降ばね４７が設置され、前記噴射ブロック２９の上端には上方に開口した四つの円溝２８が形成されており、前記円溝２８の中には回転できるが前記円溝２８から離れることができない前記円球２７が設置され、前記昇降板４８の下端には下端が前記昇降チャンバ６０の下端壁と前記円溝２８の上端壁とを貫通し、且つ前記円球２７と連結された前記昇降ロッド４６が固定され、前記貯水チャンバ４の下端壁には下端が外部空間の中に位置している前記送水ホース２５が設置され、前記送水ホース２５の下端が前記噴射ブロック２９と固定的に連結され、且つ前記送水ホース２５が前記メイン流れ道５９に連通しており、前記壁１の下端壁には四つの前記固定ブロック２２が固定され、前記固定溝２２の中には下方に開口したばね溝２３が形成されており、前記ばね溝２３の上端壁には前記連結ばね２４が固定され、前記連結ばね２４の下端には下端が前記円環チャンバ３１の上端壁を貫通し、且つ前記昇降ブロック４２と連結された前記固定ロッド２６が固定されている。
【００２４】
装置全体の機械的作動の順序は：
【００２５】
１、煙報知器２１が作動して噴射機構５６に水を分散して噴射させ又は水を集中して噴射させることを判断し、分散して噴射すると、水入りパイプ５８が貯水チャンバ４の中へ水を送り、送水ホース２５を通じてメイン流れ道５９の中へ水を送り、移動ブロック３４がメイン流れ道５９の下端を切断し、それによって水が分流道３０から噴射される。
【００２６】
２、噴射機構５６に水を集中して噴射する時、モーター１３が作動して駆動軸を回転させ、それによって駆動ギヤ２０を回転させ、それによって駆動盤４９を回転させ、貫通チャンバ５１が駆動盤４９とともに昇降チャンバ６０の上側に位置するまで回転した時、位置制限ばね５２が位置制限板５３と円柱５０とを下降連動させ、それによって昇降板４８を下降させ、昇降ばね４７が下降し、一つの昇降板４８の下降は昇降ロッド４６  を下降させ、それによって噴射ブロック２９の一端を下降させ、それによって噴射ブロック２９を傾斜させ、それによってメイン流れ道５９の下端の出口を傾斜させる。
【００２７】
３、噴射ブロック２９の傾斜方向を決めた後、電磁石６１を作動させ、回字型ブロック２０を上方へ運動させ、それによって駆動ギヤ２０を上方へ運動させ、且つ駆動盤４９との噛合から離脱させ、この時にモーター１３が出力を増やし、それによって駆動軸１８がより速く回転し、それによって第一ベベルギヤ１１と、第二ベベルギヤ１４と、従動軸１７と、遠心輪１６とを快速回転させ、それによって遠心輪１６が中心から遠ざかり、且つ遠心輪１６の上端が回字型ブロック１９をプッシュし、この時に電磁石６１は作動しなくなる。
【００２８】
４、円柱５０の下降によって、回転盤３が下降し、それによって円錐形柱１０が下降し、それによって円錐形柱１０の上端がベルト９を引っ張り、それによって第一ベルトプーリ１２と第二ベルトプーリ６との間の伝動を実現し、それによって駆動軸１８の動力をタービン羽根車軸７に伝達し、それによってタービン羽根車８を回転させ、それによって貯水チャンバ４の中の水を排出する時の圧力を増やす。
【００２９】
５、噴射ブロック２９の傾斜によって、三所の昇降ブロック４２と環状ブロック４０との間の距離が増加され、また、この三所のＬロッド４１は昇降ブロック４２と環状ブロック４０とにきつく挟まなくなり、それによって四つの圧縮ばねと二つの伸縮ばね４５とが復帰し、それによって一つの連結ばね２４が圧縮され、それによってＬロッド４１が上方へ運動して再び昇降ブロック４２と接触し、環状ブロック４０が上方へ運動して切断板３７を上方へ運動連動させて分流道３０を切断し、切断板３７が上方へ運動してロープ３６の伝動によって切断ブロック３７の一端をメイン流れ道５９から離れさせ、加圧された水は送水ホース２５とメイン流れ道５９とを通過した後噴き出される。
【００３０】
６、装置を復帰させる時、モーター１３は作動を停止し、遠心輪１６が回転しなくなり、且つ復帰し、それによって回字型ブロック１９と駆動ギヤ２０とを下降させ、また駆動ギヤ２０と駆動盤４９とが再び噛み合い、この時にモーター１３が回転して駆動軸１８と駆動ギヤ２０とを回転連動させ、それによって駆動盤４９を回転連動させ、それによって円柱５０が昇降チャンバ６０から離れ、それによって位置制限ばね５２が圧縮され、また円柱５０が再び上方へ突き出て回転盤３と円錐形柱１０とを上方へプッシュし、それによってベルト９が再び緩められ、円柱５０の離れによって昇降板４８が復帰し、それによって四本の昇降ロッド４６が再び同じ高さに位置し、噴射ブロック２９が復帰し、それによって昇降ブロック４２が再びＬロッド４１と環状ブロック４０とを下方へ推し、それによって貫通穴３８が再び分流道３０に連通し、装置が復帰する。
【００３１】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【図１】
2020182806.tif 000003
【図２】
2020182806.tif 000004
【図３】
2020182806.tif 000005
【図４】
2020182806.tif 000006
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
正面視で、壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現し、前記壁の下端面には装置を作動させ始めるか否かのを制御する煙報知器が固定され、前記壁の中にはまた水を蓄えることができる貯水チャンバが設置され、前記煙報知器が火災の発生をセンサーした時、貯水チャンバの中に水を加え、同時に前記煙報知器は集中して一方向に噴射する必要があるか否かを判断し、必要であれば前記駆動機構を制御して作動させ、噴射機構を一方向に回転させ、そして前記駆動機構の出力する動力を高めることによって、前記貯水チャンバから流す水の圧力が増加し、それによって前記噴射機構によって噴射する水がより遠く、水を集中して火を消すことに便利を与え、前記噴射機構が水を分散して噴射する必要があれば、前記煙報知器は前記駆動機構の作動を制御しなく、前記貯水チャンバの中の水が直接に前記噴射機構によって四周に分散して噴射され、前記噴射機構はメイン流れ道と、二つの伸縮ばねと、環状板と、四つのＬロッドと、環状ブロックと、四つの昇降ブロックと、噴射ブロックとを含み、前記壁の下側には前記噴射ブロックが設置され、前記噴射ブロックの中には前記噴射ブロックを貫通した前記メイン流れ道が形成されており、前記噴射ブロックの中には前記メイン流れ道を中心に設置された円環チャンバが設置され、前記円環チャンバの内壁の中にはまた前記円環チャンバに連通した環状溝が形成されており、前記環状溝の中には前記環状板及び二つの前記環状板を復帰させることができる前記伸縮ばねが設置され、前記円環チャンバの中には四つの前記昇降ブロック及び一つの前記環状ブロックが設置され、前記環状板の下端には四つの一端が前記円環チャンバの中に位置しており、且つ前記昇降ブロックと前記環状ブロックとにきつく挟まれた前記Ｌロッドが固定されていることを特徴とするインテリジェント廊下煙報知消火設備。
【請求項２】
前記駆動機構はモーターと、駆動軸と、駆動ギヤと、駆動盤と、回転盤と、円錐形柱と、円柱と、二つの位置制限板と、二つ位置制限ばねと、回字型ブロックと、従動軸と、第一ベベルギヤと、第二ベベルギヤと、遠心輪と、ベルトと、タービン羽根車軸と、第二ベルトプーリと、タービン羽根車と、第一ベルトプーリと、電磁石と水入りパイプとを含み、前記環状チャンバの中には前記駆動盤と前記回転盤とが設置され、前記回転盤の上端には前記円錐形柱が固定され、前記駆動盤の中には前記駆動盤を貫通した貫通チャンバが設置され、前記貫通チャンバの前後端壁の中にはいずれも前記貫通チャンバに連通した位置制限溝が形成されており、前記貫通チャンバの中には上端が前記回転盤を上方へプッシュする前記円柱が設置され、前記円柱の前後両端にはいずれも一端が前記位置制限溝の中に位置している位置制限板が設置され、前記位置制限溝の中の上端壁には下端が前記位置制限板と連結された前記位置制限ばねが設置され、前記環状チャンバの左端壁の中には前記環状チャンバに連通した駆動チャンバが設置され、前記駆動チャンバの上端壁には前記モーターが設置され、前記モーターの下端には前記駆動軸が動力が伝達できるように連結され、前記駆動軸には前記第一ベベルギヤと前記第一ベルトプーリとが固定され、前記駆動軸にはまた前記駆動盤の左端と噛み合っている前記駆動ギヤがスライドできるように連結され、前記駆動チャンバの中には回字型ブロックが設置され、前記回字型ブロックの下側にはまた前記電磁石が設置され、前記駆動チャンバの左側壁には前記回字型ブロックの中心を通過する前記従動軸が回転できるように連結され、前記従動軸には前記第一ベベルギヤの左端と噛み合っている前記第二ベベルギヤが固定され、前記従動軸にはまた素早く回転する時に前記回字型ブロックを上方へプッシュする前記遠心輪が固定され、前記駆動ギヤの左端が前記回字型ブロックの中心を貫通しており、前記貯水チャンバの上端壁の中には従動チャンバが設置され、前記従動チャンバの上端壁には下端が前記貯水チャンバの中に位置している前記タービン羽根車軸が回転できるように連結され、前記タービン羽根車軸の下端には前記タービン羽根車が固定され、且つ前記タービン羽根車軸の上端には前記第二ベルトプーリが固定され、前記第一ベルトプーリと前記第二ベルトプーリとの間が前記ベルトによって連結され、また前記円錐形柱の下端が前記ベルトの中心に位置していることを特徴とする請求項１に記載のインテリジェント廊下煙報知消火設備。
【請求項３】
前記噴射機構はまた四つの分流道と、四枚の切断板と、四つの圧縮ばねと、二本のロープと、二つの切断ブロックと、二つの従動ばねとを含み、前記噴射ブロックの中には前記噴射ブロックを貫通した前記メイン流れ道が形成されており、前記噴射ブロックの中にはまた四つの外部空間と前記メイン流れ道とを連通した前記分流道が設置され、前記環状ブロックの下端には下端が前記円環チャンバの下端壁と連結された四つの前記圧縮ばねが固定され、前記円環チャンバの下端壁には四つの前記分流道を貫通した昇降溝が形成されており、前記昇降溝の中には前記分流道を切断でき、且つ上端が前記環状ブロックと連結された前記切断板が設置され、前記切断板の中には前記切断板を貫通し、且つ前記分流道に連通した貫通穴が設置され、前記噴射ブロックの中にはまた前記メイン流れ道を切断できる移動チャンバが設置され、前記移動チャンバの中には二つの前記メイン流れ道を切断できる前記切断ブロックが設置され、前記切断ブロックと前記移動チャンバの端壁との間が前記従動ばねによって連結され、左右両側の前記切断板の下端にはいずれもロープが固定され、前記ロープの下端が前記移動チャンバの端壁を貫通し、且つ前記切断ブロックと連結されていることを特徴とする請求項１に記載のインテリジェント廊下煙報知消火設備。
【請求項４】
前記昇降機構は四つの昇降板と、四本の昇降ロッドと、八つの昇降ばねと、四つの円球と、四つの固定ブロックと、四つの連結ばねと、四つの固定ロッドと、送水ホースとを含み、前記環状チャンバの下端壁の中には四つの上方に開口した昇降チャンバが設置され、前記昇降チャンバの中には前記昇降板及び二つの前記昇降板を支持する前記昇降ばねが設置され、前記噴射ブロックの上端には上方に開口した四つの円溝が形成されており、前記円溝の中には回転できるが前記円溝から離れることができない前記円球が設置され、前記昇降板の下端には下端が前記昇降チャンバの下端壁と前記円溝の上端壁とを貫通し、且つ前記円球と連結された前記昇降ロッドが固定され、前記貯水チャンバの下端壁には下端が外部空間の中に位置している前記送水ホースが設置され、前記送水ホースの下端が前記噴射ブロックと固定的に連結され、且つ前記送水ホースが前記メイン流れ道に連通しており、前記壁の下端壁には四つの前記固定ブロックが固定され、前記固定ブロックの中には下方に開口したばね溝が形成されており、前記ばね溝の上端壁には前記連結ばねが固定され、前記連結ばねの下端には下端が前記円環チャンバの上端壁を貫通し、且つ前記昇降ブロックと連結された前記固定ロッドが固定されていることを特徴とする請求項１に記載のインテリジェント廊下煙報知消火設備。
【請求項５】
前記駆動軸と前記駆動ギヤとの間の摩擦力が大きいため、前記駆動軸が回転する時に前記駆動ギヤを回転連動させることができ、また前記電磁石が作動する時に前記駆動ギヤは前記駆動軸でスライドすることができることを特徴とする請求項２に記載のインテリジェント廊下煙報知消火設備。
【請求項６】
前記遠心輪は回転して遠心運動が発生する時、前記遠心輪は前記回字型ブロックを支えることができることを特徴とする請求項２に記載のインテリジェント廊下煙報知消火設備。
【請求項７】
前記四つの連結ばねの弾力の総量は二つの伸縮ばねと四つの伸縮ばねの弾力との総量より大きく、前記一つの連結ばねの弾力は二つの伸縮ばねと四つの圧縮ばねの弾力の総量より小さいことを特徴とする請求項３又は請求項４に記載のインテリジェント廊下煙報知消火設備。
【請求項８】
前記ベルトは初期状態の下で緩め状態にあり、前記円錐形柱は下降した後に前記ベルトをきつく締めることができることを特徴とする請求項２に記載のインテリジェント廊下煙報知消火設備。
【手続補正２】
【補正対象書類名】明細書
【補正対象項目名】全文
【補正方法】変更
【補正の内容】
【発明の詳細な説明】
【技術分野】
【０００１】
本発明はインテリジェント廊下煙報知消火設備であり、主には消防消火分野に関わる。
【背景技術】
【０００２】
目家屋の廊下の頂部には煙報知器とスプリンクラー装置とが取り付けられ、しかし現階段のスプリンクラー装置は作動する時に大体四周に分散して水を噴射するのであり、噴射範囲が小さく、しかも水を有効に集中して消火することができなく、火勢を制御するのに不利で、逃亡者の逃亡に不便である。
【先行技術文献】
【特許文献】
【０００３】
【特許文献１】中国特許出願公開第１０９３５０８９６号明細書
【発明の概要】
【発明が解決しようとする課題】
【０００４】
本発明の解決しようとする技術的問題はインテリジェント廊下煙報知消火設備を提供し、廊下の頂部に消防するには水を集中して噴射する問題を克服し、消火範囲を高める。
【課題を解決するための手段】
【０００５】
本発明は以下の技術プランによって実現される。
【０００６】
本発明のインテリジェント廊下煙報知消火設備は、壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現する。
【０００７】
前記壁の下端面には装置を作動させ始めるか否かのを制御する煙報知器が固定され、前記壁の中にはまた水を蓄えることができる貯水チャンバが設置され、前記煙報知器が火災の発生をセンサーした時、貯水チャンバの中に水を加え、同時に前記煙報知器は集中して一方向に噴射する必要があるか否かを判断し、必要であれば前記駆動機構を制御して作動させ、噴射機構を一方向に回転させ、そして前記駆動機構の出力する動力を高めることによって、前記貯水チャンバから流す水の圧力が増加し、それによって前記噴射機構によって噴射する水がより遠く、水を集中して火を消すことに便利を与え、前記噴射機構が水を分散して噴射する必要があれば、前記煙報知器は前記駆動機構の作動を制御しなく、前記貯水チャンバの中の水が直接に前記噴射機構によって四周に分散して噴射される。
【０００８】
前記噴射機構はメイン流れ道と、二つの伸縮ばねと、環状板と、四つのＬロッドと、環状ブロックと、四つの昇降ブロックと、噴射ブロックとを含み、前記壁の下側には前記噴射ブロックが設置され、前記噴射ブロックの中には前記噴射ブロックを貫通した前記メイン流れ道が形成されており、前記噴射ブロックの中には前記メイン流れ道を中心に設置された円環チャンバが設置され、前記円環チャンバの内壁の中にはまた前記円環チャンバに連通した環状溝が形成されており、前記環状溝の中には前記環状板及び二つの前記環状板を復帰させることができる前記伸縮ばねが設置され、前記円環チャンバの中には四つの前記昇降ブロック及び一つの前記環状ブロックが設置され、前記環状板の下端には四つの一端が前記円環チャンバの中に位置しており、且つ前記昇降ブロックと前記環状ブロックとにきつく挟まれた前記Ｌロッドが固定されている。
【０００９】
さらに、前記駆動機構はモーターと、駆動軸と、駆動ギヤと、駆動盤と、回転盤と、円錐形柱と、円柱と、二つの位置制限板と、二つ位置制限ばねと、回字型ブロックと、従動軸と、第一ベベルギヤと、第二ベベルギヤと、遠心輪と、ベルトと、タービン羽根車軸と、第二ベルトプーリと、タービン羽根車と、第一ベルトプーリと、電磁石と水入りパイプとを含み、前記環状チャンバの中には前記駆動盤と前記回転盤とが設置され、前記回転盤の上端には前記円錐形柱が固定され、前記駆動盤の中には前記駆動盤を貫通した貫通チャンバが設置され、前記貫通チャンバの前後端壁の中にはいずれも前記貫通チャンバに連通した位置制限溝が形成されており、前記貫通チャンバの中には上端が前記回転盤を上方へプッシュする前記円柱が設置され、前記円柱の前後両端にはいずれも一端が前記位置制限溝の中に位置している位置制限板が設置され、前記位置制限溝の中の上端壁には下端が前記位置制限板と連結された前記位置制限ばねが設置され、前記環状チャンバの左端壁の中には前記環状チャンバに連通した駆動チャンバが設置され、前記駆動チャンバの上端壁には前記モーターが設置され、前記モーターの下端には前記駆動軸が動力が伝達できるように連結され、前記駆動軸には前記第一ベベルギヤと前記第一ベルトプーリとが固定され、前記駆動軸にはまた前記駆動盤の左端と噛み合っている前記駆動ギヤがスライドできるように連結され、前記駆動チャンバの中には回字型ブロックが設置され、前記回字型ブロックの下側にはまた前記電磁石が設置され、前記駆動チャンバの左側壁には前記回字型ブロックの中心を通過する前記従動軸が回転できるように連結され、前記従動軸には前記第一ベベルギヤの左端と噛み合っている前記第二ベベルギヤが固定され、前記従動軸にはまた素早く回転する時に前記回字型ブロックを上方へプッシュする前記遠心輪が固定され、前記駆動ギヤの左端が前記回字型ブロックの中心を貫通しており、前記貯水チャンバの上端壁の中には従動チャンバが設置され、前記従動チャンバの上端壁には下端が前記貯水チャンバの中に位置している前記タービン羽根車軸が回転できるように連結され、前記タービン羽根車軸の下端には前記タービン羽根車が固定され、且つ前記タービン羽根車軸の上端には前記第二ベルトプーリが固定され、前記第一ベルトプーリと前記第二ベルトプーリとの間が前記ベルトによって連結され、また前記円錐形柱の下端が前記ベルトの中心に位置している。
【００１０】
さらに、前記噴射機構はまた四つの分流道と、四枚の切断板と、四つの圧縮ばねと、二本のロープと、二つの切断ブロックと、二つの従動ばねとを含み、前記噴射ブロックの中には前記噴射ブロックを貫通した前記メイン流れ道が形成されており、前記噴射ブロックの中にはまた四つの外部空間と前記メイン流れ道とを連通した前記分流道が設置され、前記環状ブロックの下端には下端が前記円環チャンバの下端壁と連結された四つの前記圧縮ばねが固定され、前記円環チャンバの下端壁には四つの前記分流道を貫通した昇降溝が形成されており、前記昇降溝の中には前記分流道を切断でき、且つ上端が前記環状ブロックと連結された前記切断板が設置され、前記切断板の中には前記切断板を貫通し、且つ前記分流道に連通した貫通穴が設置され、前記噴射ブロックの中にはまた前記メイン流れ道を切断できる移動チャンバが設置され、前記移動チャンバの中には二つの前記メイン流れ道を切断できる前記切断ブロックが設置され、前記切断ブロックと前記移動チャンバの端壁との間が前記従動ばねによって連結され、左右両側の前記切断板の下端にはいずれもロープが固定され、前記ロープの下端が前記移動チャンバの端壁を貫通し、且つ前記切断ブロックと連結されている。
【００１１】
さらに、前記昇降機構は四つの昇降板と、四本の昇降ロッドと、八つの昇降ばねと、四つの円球と、四つの固定ブロックと、四つの連結ばねと、四つの固定ロッドと、送水ホースとを含み、前記環状チャンバの下端壁の中には四つの上方に開口した昇降チャンバが設置され、前記昇降チャンバの中には前記昇降板及び二つの前記昇降板を支持する前記昇降ばねが設置され、前記噴射ブロックの上端には上方に開口した四つの円溝が形成されており、前記円溝の中には回転できるが前記円溝から離れることができない前記円球が設置され、前記昇降板の下端には下端が前記昇降チャンバの下端壁と前記円溝の上端壁とを貫通し、且つ前記円球と連結された前記昇降ロッドが固定され、前記貯水チャンバの下端壁には下端が外部空間の中に位置している前記送水ホースが設置され、前記送水ホースの下端が前記噴射ブロックと固定的に連結され、且つ前記送水ホースが前記メイン流れ道に連通しており、前記壁の下端壁には四つの前記固定ブロックが固定され、前記固定ブロックの中には下方に開口したばね溝が形成されており、前記ばね溝の上端壁には前記連結ばねが固定され、前記連結ばねの下端には下端が前記円環チャンバの上端壁を貫通し、且つ前記昇降ブロックと連結された前記固定ロッドが固定されている。
【００１２】
さらに、前記駆動軸と前記駆動ギヤとの間の摩擦力が大きいため、前記駆動軸が回転する時に前記駆動ギヤを回転連動させることができ、また前記電磁石が作動する時に前記駆動ギヤは前記駆動軸でスライドすることができる。
【００１３】
さらに、前記遠心輪は回転して遠心運動が発生する時、前記遠心輪は前記回字型ブロックを支えることができる。
【００１４】
さらに、前記四つの連結ばねの弾力の総量は二つの伸縮ばねと四つの伸縮ばねの弾力との総量より大きく、前記一つの連結ばねの弾力は二つの伸縮ばねと四つの圧縮ばねの弾力の総量より小さい。
【００１５】
さらに、前記ベルトは初期状態の下で緩め状態にあり、前記円錐形柱は下降した後に前記ベルトをきつく締めることができる。
【発明の効果】
【００１６】
本発明の有益な効果は：本装置は構成が簡単で、操作が便利であり、本装置は作動する時に四周に水を噴射して火を消すことができれば、需要によって四周に噴射された水を集めて加圧して噴射することもでき、また噴射の角度を調節でき、それによって火を集中して消すことに便利を与え、且つ水を噴射する範囲を増加し、それによって逃亡者の逃亡に便利である。
【図面の簡単な説明】
【００１７】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成概略図
【図２】図２は本発明の実施例のＡ―Ａの構成概略図
【図３】図３は本発明の実施例のＢ―Ｂの構成概略図
【図４】図４は本発明の実施例の回字型ブロックの全断面の左側面の拡大構成概略図
【発明を実施するための形態】
【００１９】
付図１〜４に示した上記のインテリジェント廊下煙報知消火設備の機械構成図を参照し、壁１及び前記壁１の中に位置している環状チャンバ２を含み、前記壁１の中には装置の作動に動力を提供できる駆動機構５５が設置され、前記壁１の下側には前記駆動機構５５に制御されて運動する噴射機構５６が設置され、前記駆動機構５５と前記噴射機構５６との間は昇降機構５７によって伝動を実現する。
【００２０】
前記壁１の下端面には装置を作動させ始めるか否かのを制御する煙報知器２１が固定され、前記壁１の中にはまた水を蓄えることができる貯水チャンバ４が設置され、前記煙報知器２１が火災の発生をセンサーした時、貯水チャンバ４の中に水を加え、同時に前記煙報知器２１は集中して一方向に噴射する必要があるか否かを判断し、必要であれば前記駆動機構５５を制御して作動させ、噴射機構５６を一方向に回転させ、そして前記駆動機構５５の出力する動力を高めることによって、前記貯水チャンバ４から流す水の圧力が増加し、それによって前記噴射機構５６によって噴射する水がより遠く、水を集中して火を消すことに便利を与え、前記噴射機構５６が水を分散して噴射する必要があれば、前記煙報知器２１は前記駆動機構５５の作動を制御しなく、前記貯水チャンバ４の中の水が直接に前記噴射機構５６によって四周に分散して噴射される。
【００２１】
前記駆動機構５５はモーター１３と、駆動軸１８と、駆動ギヤ２０と、駆動盤４９と、回転盤３と、円錐形柱１０と、円柱５０と、二つの位置制限板５３と、二つ位置制限ばね５２と、回字型ブロック１９と、従動軸１７と、第一ベベルギヤ１１と、第二ベベルギヤ１４と、遠心輪１６と、ベルト９と、タービン羽根車軸７と、第二ベルトプーリ６と、タービン羽根車８と、第一ベルトプーリ１２と、電磁石６１と水入りパイプ５８とを含み、前記環状チャンバ２の中には前記駆動盤４９と前記回転盤３とが設置され、前記回転盤３の上端には前記円錐形柱１０が固定され、前記駆動盤４９の中には前記駆動盤４９を貫通した貫通チャンバ５１が設置され、前記貫通チャンバ５１の前後端壁の中にはいずれも前記貫通チャンバ５１に連通した位置制限溝５４が形成されており、前記貫通チャンバ５１の中には上端が前記回転盤３を上方へプッシュする前記円柱５０が設置され、前記円柱５０の前後両端にはいずれも一端が前記位置制限溝５４の中に位置している位置制限板５３が設置され、前記位置制限溝５４の中の上端壁には下端が前記位置制限板５３と連結された前記位置制限ばね５２が設置され、前記環状チャンバ２の左端壁の中には前記環状チャンバ２に連通した駆動チャンバ１５が設置され、前記駆動チャンバ１５の上端壁には前記モーター１３が設置され、前記モーター１３の下端には前記駆動軸１８が動力が伝達できるように連結され、前記駆動軸１８には前記第一ベベルギヤ１１と前記第一ベルトプーリ１２とが固定され、前記駆動軸１８にはまた前記駆動盤４９の左端と噛み合っている前記駆動ギヤ２０がスライドできるように連結され、前記駆動チャンバ１５の中には回字型ブロック１９が設置され、前記回字型ブロック１９の下側にはまた前記電磁石６１が設置され、前記駆動チャンバ１５の左側壁には前記回字型ブロック１９の中心を通過する前記従動軸１７が回転できるように連結され、前記従動軸１７には前記第一ベベルギヤ１１の左端と噛み合っている前記第二ベベルギヤ１４が固定され、前記従動軸１７にはまた素早く回転する時に前記回字型ブロック１９を上方へプッシュする前記遠心輪１６が固定され、前記駆動ギヤ４９の左端が前記回字型ブロック１９の中心を貫通しており、前記貯水チャンバ４の上端壁の中には従動チャンバ５が設置され、前記従動チャンバ５の上端壁には下端が前記貯水チャンバ４の中に位置している前記タービン羽根車軸７が回転できるように連結され、前記タービン羽根車軸７の下端には前記タービン羽根車８が固定され、且つ前記タービン羽根車軸７の上端には前記第二ベルトプーリ６が固定され、前記第一ベルトプーリ１２と前記第二ベルトプーリ６との間が前記ベルト９によって連結され、また前記円錐形柱１０の下端が前記ベルト９の中心に位置している。
【００２２】
前記噴射機構５６はメイン流れ道５９と、四つの分流道３０と、二つの伸縮ばね４５と、環状板４３と、四つのＬロッド４１と、環状ブロック４０と、四つの昇降ブロック４２と、四つの切断板３７と、四つの圧縮ばね３９と、二本のロープ３６と、二つの切断ブロック３４と、二つの従動ばね３５と、噴射ブロック２９とを含み、前記壁１の下側には前記噴射ブロック２９が設置され、前記噴射ブロック２９の中には前記噴射ブロック２９を貫通した前記メイン流れ道５９が形成されており、前記噴射ブロック２９の中にはまた四つの外部空間と前記メイン流れ道５９とを連通した前記分流道３０が設置され、前記噴射ブロック２９の中には前記メイン流れ道５９を中心に設置された円環チャンバ３１が設置され、前記円環チャンバ３１の内壁の中にはまた前記円環チャンバ３１に連通した環状溝４４が形成されており、前記環状溝４４の中には前記環状板４３及び二つの前記環状板４３を復帰させることができる前記伸縮ばね４５が設置され、前記円環チャンバ３１の中には四つの前記昇降ブロック４２及び一つの前記環状ブロック４０が設置され、前記環状板４３の下端には四つの一端が前記円環チャンバ３１の中に位置しており、且つ前記昇降ブロック４２と前記環状ブロック４とにきつく挟まれた前記Ｌロッド４１が固定され、前記環状ブロック４０の下端には下端が前記円環チャンバ３１の下端壁と連結された四つの前記圧縮ばね３９が固定され、前記円環チャンバ３１の下端壁には四つの前記分流道３０を貫通した昇降溝３２が形成されており、前記昇降溝３２の中には前記分流道３０を切断でき、且つ上端が前記環状ブロック４０と連結された前記切断板３７が設置され、前記切断板３７の中には前記切断板３７を貫通し、且つ前記分流道３０に連通した貫通穴３８が設置され、前記噴射ブロック２９の中にはまた前記メイン流れ道５９を切断できる移動チャンバ３３が設置され、前記移動チャンバ３３の中には二つの前記メイン流れ道５９を切断できる前記切断ブロック３４が設置され、前記切断ブロック３４と前記移動チャンバ３３の端壁との間が前記従動ばね３５によって連結され、左右両側の前記切断板３７の下端にはいずれもロープ３６が固定され、前記ロープ３６の下端が前記移動チャンバ３３の端壁を貫通し、且つ前記切断ブロック３４と連結されている。
【００２３】
前記昇降機構５７は四つの昇降板４８と、四本の昇降ロッド４６と、八つの昇降ばね４７と、四つの円球２７と、四つの固定ブロック２２と、四つの連結ばね２４と、四つの固定ロッド２６と、送水ホース２５とを含み、前記環状チャンバ２の下端壁の中には四つの上方に開口した昇降チャンバ６０が設置され、前記昇降チャンバ６０の中には前記昇降板４８及び二つの前記昇降板４８を支持する前記昇降ばね４７が設置され、前記噴射ブロック２９の上端には上方に開口した四つの円溝２８が形成されており、前記円溝２８の中には回転できるが前記円溝２８から離れることができない前記円球２７が設置され、前記昇降板４８の下端には下端が前記昇降チャンバ６０の下端壁と前記円溝２８の上端壁とを貫通し、且つ前記円球２７と連結された前記昇降ロッド４６が固定され、前記貯水チャンバ４の下端壁には下端が外部空間の中に位置している前記送水ホース２５が設置され、前記送水ホース２５の下端が前記噴射ブロック２９と固定的に連結され、且つ前記送水ホース２５が前記メイン流れ道５９に連通しており、前記壁１の下端壁には四つの前記固定ブロック２２が固定され、前記固定ブロック２２の中には下方に開口したばね溝２３が形成されており、前記ばね溝２３の上端壁には前記連結ばね２４が固定され、前記連結ばね２４の下端には下端が前記円環チャンバ３１の上端壁を貫通し、且つ前記昇降ブロック４２と連結された前記固定ロッド２６が固定されている。
【００２４】
装置全体の機械的作動の順序は：
【００２５】
１、煙報知器２１が作動して噴射機構５６に水を分散して噴射させ又は水を集中して噴射させることを判断し、分散して噴射すると、水入りパイプ５８が貯水チャンバ４の中へ水を送り、送水ホース２５を通じてメイン流れ道５９の中へ水を送り、移動ブロック３４がメイン流れ道５９の下端を切断し、それによって水が分流道３０から噴射される。
【００２６】
２、噴射機構５６に水を集中して噴射する時、モーター１３が作動して駆動軸を回転させ、それによって駆動ギヤ２０を回転させ、それによって駆動盤４９を回転させ、貫通チャンバ５１が駆動盤４９とともに昇降チャンバ６０の上側に位置するまで回転した時、位置制限ばね５２が位置制限板５３と円柱５０とを下降連動させ、それによって昇降板４８を下降させ、昇降ばね４７が下降し、一つの昇降板４８の下降は昇降ロッド４６を下降させ、それによって噴射ブロック２９の一端を下降させ、それによって噴射ブロック２９を傾斜させ、それによってメイン流れ道５９の下端の出口を傾斜させる。
【００２７】
３、噴射ブロック２９の傾斜方向を決めた後、電磁石６１を作動させ、回字型ブロック２０を上方へ運動させ、それによって駆動ギヤ２０を上方へ運動させ、且つ駆動盤４９との噛合から離脱させ、この時にモーター１３が出力を増やし、それによって駆動軸１８がより速く回転し、それによって第一ベベルギヤ１１と、第二ベベルギヤ１４と、従動軸１７と、遠心輪１６とを快速回転させ、それによって遠心輪１６が中心から遠ざかり、且つ遠心輪１６の上端が回字型ブロック１９をプッシュし、この時に電磁石６１は作動しなくなる。
【００２８】
４、円柱５０の下降によって、回転盤３が下降し、それによって円錐形柱１０が下降し、それによって円錐形柱１０の上端がベルト９を引っ張り、それによって第一ベルトプーリ１２と第二ベルトプーリ６との間の伝動を実現し、それによって駆動軸１８の動力をタービン羽根車軸７に伝達し、それによってタービン羽根車８を回転させ、それによって貯水チャンバ４の中の水を排出する時の圧力を増やす。
【００２９】
５、噴射ブロック２９の傾斜によって、三所の昇降ブロック４２と環状ブロック４０との間の距離が増加され、また、この三所のＬロッド４１は昇降ブロック４２と環状ブロック４０とにきつく挟まなくなり、それによって四つの圧縮ばねと二つの伸縮ばね４５とが復帰し、それによって一つの連結ばね２４が圧縮され、それによってＬロッド４１が上方へ運動して再び昇降ブロック４２と接触し、環状ブロック４０が上方へ運動して切断板３７を上方へ運動連動させて分流道３０を切断し、切断板３７が上方へ運動してロープ３６の伝動によって切断ブロック３７の一端をメイン流れ道５９から離れさせ、加圧された水は送水ホース２５とメイン流れ道５９とを通過した後噴き出される。
【００３０】
６、装置を復帰させる時、モーター１３は作動を停止し、遠心輪１６が回転しなくなり、且つ復帰し、それによって回字型ブロック１９と駆動ギヤ２０とを下降させ、また駆動ギヤ２０と駆動盤４９とが再び噛み合い、この時にモーター１３が回転して駆動軸１８と駆動ギヤ２０とを回転連動させ、それによって駆動盤４９を回転連動させ、それによって円柱５０が昇降チャンバ６０から離れ、それによって位置制限ばね５２が圧縮され、また円柱５０が再び上方へ突き出て回転盤３と円錐形柱１０とを上方へプッシュし、それによってベルト９が再び緩められ、円柱５０の離れによって昇降板４８が復帰し、それによって四本の昇降ロッド４６が再び同じ高さに位置し、噴射ブロック２９が復帰し、それによって昇降ブロック４２が再びＬロッド４１と環状ブロック４０とを下方へ推し、それによって貫通穴３８が再び分流道３０に連通し、装置が復帰する。
【００３１】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
正面視で、壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現し、前記壁の下端面には装置を作動させ始めるか否かのを制御する煙報知器が固定され、前記壁の中にはまた水を蓄えることができる貯水チャンバが設置され、前記煙報知器が火災の発生をセンサーした時、貯水チャンバの中に水を加え、同時に前記煙報知器は集中して一方向に噴射する必要があるか否かを判断し、必要であれば前記駆動機構を制御して作動させ、噴射機構を一方向に回転させ、そして前記駆動機構の出力する動力を高めることによって、前記貯水チャンバから流す水の圧力が増加し、それによって前記噴射機構によって噴射する水がより遠く、水を集中して火を消すことに便利を与え、前記噴射機構が水を分散して噴射する必要があれば、前記煙報知器は前記駆動機構の作動を制御しなく、前記貯水チャンバの中の水が直接に前記噴射機構によって四周に分散して噴射され、前記噴射機構はメイン流れ道と、二つの伸縮ばねと、環状板と、四つのＬロッドと、環状ブロックと、四つの昇降ブロックと、噴射ブロックとを含み、前記壁の下側には前記噴射ブロックが設置され、前記噴射ブロックの中には前記噴射ブロックを貫通した前記メイン流れ道が形成されており、前記噴射ブロックの中には前記メイン流れ道を中心に設置された円環チャンバが設置され、前記円環チャンバの内壁の中にはまた前記円環チャンバに連通した環状溝が形成されており、前記環状溝の中には前記環状板及び二つの前記環状板を復帰させることができる前記伸縮ばねが設置され、前記円環チャンバの中には四つの前記昇降ブロック及び一つの前記環状ブロックが設置され、前記環状板の下端には四つの一端が前記円環チャンバの中に位置しており、且つ前記昇降ブロックと前記環状ブロックとに挟まれた前記Ｌロッドが固定されていることを特徴とするインテリジェント廊下煙報知消火設備。
【請求項２】
前記駆動機構はモーターと、駆動軸と、駆動ギヤと、駆動盤と、回転盤と、円錐形柱と、円柱と、二つの位置制限板と、二つ位置制限ばねと、回字型ブロックと、従動軸と、第一ベベルギヤと、第二ベベルギヤと、遠心輪と、ベルトと、タービン羽根車軸と、第二ベルトプーリと、タービン羽根車と、第一ベルトプーリと、電磁石と水入りパイプとを含み、前記環状チャンバの中には前記駆動盤と前記回転盤とが設置され、前記回転盤の上端には前記円錐形柱が固定され、前記駆動盤の中には前記駆動盤を貫通した貫通チャンバが設置され、前記貫通チャンバの前後端壁の中にはいずれも前記貫通チャンバに連通した位置制限溝が形成されており、前記貫通チャンバの中には上端が前記回転盤を上方へプッシュする前記円柱が設置され、前記円柱の前後両端にはいずれも一端が前記位置制限溝の中に位置している位置制限板が設置され、前記位置制限溝の中の上端壁には下端が前記位置制限板と連結された前記位置制限ばねが設置され、前記環状チャンバの左端壁の中には前記環状チャンバに連通した駆動チャンバが設置され、前記駆動チャンバの上端壁には前記モーターが設置され、前記モーターの下端には前記駆動軸が動力が伝達できるように連結され、前記駆動軸には前記第一ベベルギヤと前記第一ベルトプーリとが固定され、前記駆動軸にはまた前記駆動盤の左端と噛み合っている前記駆動ギヤがスライドできるように連結され、前記駆動チャンバの中には回字型ブロックが設置され、前記回字型ブロックの下側にはまた前記電磁石が設置され、前記駆動チャンバの左側壁には前記回字型ブロックの中心を通過する前記従動軸が回転できるように連結され、前記従動軸には前記第一ベベルギヤの左端と噛み合っている前記第二ベベルギヤが固定され、前記従動軸にはまた回転する時に前記回字型ブロックを上方へプッシュする前記遠心輪が固定され、前記駆動ギヤの左端が前記回字型ブロックの中心を貫通しており、前記貯水チャンバの上端壁の中には従動チャンバが設置され、前記従動チャンバの上端壁には下端が前記貯水チャンバの中に位置している前記タービン羽根車軸が回転できるように連結され、前記タービン羽根車軸の下端には前記タービン羽根車が固定され、且つ前記タービン羽根車軸の上端には前記第二ベルトプーリが固定され、前記第一ベルトプーリと前記第二ベルトプーリとの間が前記ベルトによって連結され、また前記円錐形柱の下端が前記ベルトの中心に位置していることを特徴とする請求項１に記載のインテリジェント廊下煙報知消火設備。
【請求項３】
前記噴射機構はまた四つの分流道と、四枚の切断板と、四つの圧縮ばねと、二本のロープと、二つの切断ブロックと、二つの従動ばねとを含み、前記噴射ブロックの中には前記噴射ブロックを貫通した前記メイン流れ道が形成されており、前記噴射ブロックの中にはまた四つの外部空間と前記メイン流れ道とを連通した前記分流道が設置され、前記環状ブロックの下端には下端が前記円環チャンバの下端壁と連結された四つの前記圧縮ばねが固定され、前記円環チャンバの下端壁には四つの前記分流道を貫通した昇降溝が形成されており、前記昇降溝の中には前記分流道を切断でき、且つ上端が前記環状ブロックと連結された前記切断板が設置され、前記切断板の中には前記切断板を貫通し、且つ前記分流道に連通した貫通穴が設置され、前記噴射ブロックの中にはまた前記メイン流れ道を切断できる移動チャンバが設置され、前記移動チャンバの中には二つの前記メイン流れ道を切断できる前記切断ブロックが設置され、前記切断ブロックと前記移動チャンバの端壁との間が前記従動ばねによって連結され、左右両側の前記切断板の下端にはいずれもロープが固定され、前記ロープの下端が前記移動チャンバの端壁を貫通し、且つ前記切断ブロックと連結されていることを特徴とする請求項１に記載のインテリジェント廊下煙報知消火設備。
【請求項４】
前記昇降機構は四つの昇降板と、四本の昇降ロッドと、八つの昇降ばねと、四つの円球と、四つの固定ブロックと、四つの連結ばねと、四つの固定ロッドと、送水ホースとを含み、前記環状チャンバの下端壁の中には四つの上方に開口した昇降チャンバが設置され、前記昇降チャンバの中には前記昇降板及び二つの前記昇降板を支持する前記昇降ばねが設置され、前記噴射ブロックの上端には上方に開口した四つの円溝が形成されており、前記円溝の中には回転できるが前記円溝から離れることができない前記円球が設置され、前記昇降板の下端には下端が前記昇降チャンバの下端壁と前記円溝の上端壁とを貫通し、且つ前記円球と連結された前記昇降ロッドが固定され、前記貯水チャンバの下端壁には下端が外部空間の中に位置している前記送水ホースが設置され、前記送水ホースの下端が前記噴射ブロックと固定的に連結され、且つ前記送水ホースが前記メイン流れ道に連通しており、前記壁の下端壁には四つの前記固定ブロックが固定され、前記固定ブロックの中には下方に開口したばね溝が形成されており、前記ばね溝の上端壁には前記連結ばねが固定され、前記連結ばねの下端には下端が前記円環チャンバの上端壁を貫通し、且つ前記昇降ブロックと連結された前記固定ロッドが固定されていることを特徴とする請求項１に記載のインテリジェント廊下煙報知消火設備。
【請求項５】
前記駆動軸と前記駆動ギヤとの間の摩擦力が大きいため、前記駆動軸が回転する時に前記駆動ギヤを回転連動させることができ、また前記電磁石が作動する時に前記駆動ギヤは前記駆動軸でスライドすることができることを特徴とする請求項２に記載のインテリジェント廊下煙報知消火設備。
【請求項６】
前記遠心輪は回転して遠心運動が発生する時、前記遠心輪は前記回字型ブロックを支えることができることを特徴とする請求項２に記載のインテリジェント廊下煙報知消火設備。
【請求項７】
前記四つの連結ばねの弾力の総量は二つの伸縮ばねと四つの伸縮ばねの弾力との総量より大きく、前記一つの連結ばねの弾力は二つの伸縮ばねと四つの圧縮ばねの弾力の総量より小さいことを特徴とする請求項３又は請求項４に記載のインテリジェント廊下煙報知消火設備。
【請求項８】
前記ベルトは初期状態の下で緩め状態にあり、前記円錐形柱は下降した後に前記ベルトをきつく締めることができることを特徴とする請求項２に記載のインテリジェント廊下煙報知消火設備。
【手続補正２】
【補正対象書類名】明細書
【補正対象項目名】全文
【補正方法】変更
【補正の内容】
【発明の詳細な説明】
【技術分野】
【０００１】
本発明はインテリジェント廊下煙報知消火設備であり、主には消防消火分野に関わる。
【背景技術】
【０００２】
目家屋の廊下の頂部には煙報知器とスプリンクラー装置とが取り付けられ、しかし現階段のスプリンクラー装置は作動する時に大体四周に分散して水を噴射するのであり、噴射範囲が小さく、しかも水を有効に集中して消火することができなく、火勢を制御するのに不利で、逃亡者の逃亡に不便である。
【先行技術文献】
【特許文献】
【０００３】
【特許文献１】中国特許出願公開第１０９３５０８９６号明細書
【発明の概要】
【発明が解決しようとする課題】
【０００４】
本発明の解決しようとする技術的問題はインテリジェント廊下煙報知消火設備を提供し、廊下の頂部に消防するには水を集中して噴射する問題を克服し、消火範囲を高める。
【課題を解決するための手段】
【０００５】
本発明は以下の技術プランによって実現される。
【０００６】
本発明のインテリジェント廊下煙報知消火設備は、壁及び前記壁の中に位置している環状チャンバを含み、前記壁の中には装置の作動に動力を提供できる駆動機構が設置され、前記壁の下側には前記駆動機構に制御されて運動する噴射機構が設置され、前記駆動機構と前記噴射機構との間は昇降機構によって伝動を実現する。
【０００７】
前記壁の下端面には装置を作動させ始めるか否かのを制御する煙報知器が固定され、前記壁の中にはまた水を蓄えることができる貯水チャンバが設置され、前記煙報知器が火災の発生をセンサーした時、貯水チャンバの中に水を加え、同時に前記煙報知器は集中して一方向に噴射する必要があるか否かを判断し、必要であれば前記駆動機構を制御して作動させ、噴射機構を一方向に回転させ、そして前記駆動機構の出力する動力を高めることによって、前記貯水チャンバから流す水の圧力が増加し、それによって前記噴射機構によって噴射する水がより遠く、水を集中して火を消すことに便利を与え、前記噴射機構が水を分散して噴射する必要があれば、前記煙報知器は前記駆動機構の作動を制御しなく、前記貯水チャンバの中の水が直接に前記噴射機構によって四周に分散して噴射される。
【０００８】
前記噴射機構はメイン流れ道と、二つの伸縮ばねと、環状板と、四つのＬロッドと、環状ブロックと、四つの昇降ブロックと、噴射ブロックとを含み、前記壁の下側には前記噴射ブロックが設置され、前記噴射ブロックの中には前記噴射ブロックを貫通した前記メイン流れ道が形成されており、前記噴射ブロックの中には前記メイン流れ道を中心に設置された円環チャンバが設置され、前記円環チャンバの内壁の中にはまた前記円環チャンバに連通した環状溝が形成されており、前記環状溝の中には前記環状板及び二つの前記環状板を復帰させることができる前記伸縮ばねが設置され、前記円環チャンバの中には四つの前記昇降ブロック及び一つの前記環状ブロックが設置され、前記環状板の下端には四つの一端が前記円環チャンバの中に位置しており、且つ前記昇降ブロックと前記環状ブロックとに挟まれた前記Ｌロッドが固定されている。
【０００９】
さらに、前記駆動機構はモーターと、駆動軸と、駆動ギヤと、駆動盤と、回転盤と、円錐形柱と、円柱と、二つの位置制限板と、二つ位置制限ばねと、回字型ブロックと、従動軸と、第一ベベルギヤと、第二ベベルギヤと、遠心輪と、ベルトと、タービン羽根車軸と、第二ベルトプーリと、タービン羽根車と、第一ベルトプーリと、電磁石と水入りパイプとを含み、前記環状チャンバの中には前記駆動盤と前記回転盤とが設置され、前記回転盤の上端には前記円錐形柱が固定され、前記駆動盤の中には前記駆動盤を貫通した貫通チャンバが設置され、前記貫通チャンバの前後端壁の中にはいずれも前記貫通チャンバに連通した位置制限溝が形成されており、前記貫通チャンバの中には上端が前記回転盤を上方へプッシュする前記円柱が設置され、前記円柱の前後両端にはいずれも一端が前記位置制限溝の中に位置している位置制限板が設置され、前記位置制限溝の中の上端壁には下端が前記位置制限板と連結された前記位置制限ばねが設置され、前記環状チャンバの左端壁の中には前記環状チャンバに連通した駆動チャンバが設置され、前記駆動チャンバの上端壁には前記モーターが設置され、前記モーターの下端には前記駆動軸が動力が伝達できるように連結され、前記駆動軸には前記第一ベベルギヤと前記第一ベルトプーリとが固定され、前記駆動軸にはまた前記駆動盤の左端と噛み合っている前記駆動ギヤがスライドできるように連結され、前記駆動チャンバの中には回字型ブロックが設置され、前記回字型ブロックの下側にはまた前記電磁石が設置され、前記駆動チャンバの左側壁には前記回字型ブロックの中心を通過する前記従動軸が回転できるように連結され、前記従動軸には前記第一ベベルギヤの左端と噛み合っている前記第二ベベルギヤが固定され、前記従動軸にはまた回転する時に前記回字型ブロックを上方へプッシュする前記遠心輪が固定され、前記駆動ギヤの左端が前記回字型ブロックの中心を貫通しており、前記貯水チャンバの上端壁の中には従動チャンバが設置され、前記従動チャンバの上端壁には下端が前記貯水チャンバの中に位置している前記タービン羽根車軸が回転できるように連結され、前記タービン羽根車軸の下端には前記タービン羽根車が固定され、且つ前記タービン羽根車軸の上端には前記第二ベルトプーリが固定され、前記第一ベルトプーリと前記第二ベルトプーリとの間が前記ベルトによって連結され、また前記円錐形柱の下端が前記ベルトの中心に位置している。
【００１０】
さらに、前記噴射機構はまた四つの分流道と、四枚の切断板と、四つの圧縮ばねと、二本のロープと、二つの切断ブロックと、二つの従動ばねとを含み、前記噴射ブロックの中には前記噴射ブロックを貫通した前記メイン流れ道が形成されており、前記噴射ブロックの中にはまた四つの外部空間と前記メイン流れ道とを連通した前記分流道が設置され、前記環状ブロックの下端には下端が前記円環チャンバの下端壁と連結された四つの前記圧縮ばねが固定され、前記円環チャンバの下端壁には四つの前記分流道を貫通した昇降溝が形成されており、前記昇降溝の中には前記分流道を切断でき、且つ上端が前記環状ブロックと連結された前記切断板が設置され、前記切断板の中には前記切断板を貫通し、且つ前記分流道に連通した貫通穴が設置され、前記噴射ブロックの中にはまた前記メイン流れ道を切断できる移動チャンバが設置され、前記移動チャンバの中には二つの前記メイン流れ道を切断できる前記切断ブロックが設置され、前記切断ブロックと前記移動チャンバの端壁との間が前記従動ばねによって連結され、左右両側の前記切断板の下端にはいずれもロープが固定され、前記ロープの下端が前記移動チャンバの端壁を貫通し、且つ前記切断ブロックと連結されている。
【００１１】
さらに、前記昇降機構は四つの昇降板と、四本の昇降ロッドと、八つの昇降ばねと、四つの円球と、四つの固定ブロックと、四つの連結ばねと、四つの固定ロッドと、送水ホースとを含み、前記環状チャンバの下端壁の中には四つの上方に開口した昇降チャンバが設置され、前記昇降チャンバの中には前記昇降板及び二つの前記昇降板を支持する前記昇降ばねが設置され、前記噴射ブロックの上端には上方に開口した四つの円溝が形成されており、前記円溝の中には回転できるが前記円溝から離れることができない前記円球が設置され、前記昇降板の下端には下端が前記昇降チャンバの下端壁と前記円溝の上端壁とを貫通し、且つ前記円球と連結された前記昇降ロッドが固定され、前記貯水チャンバの下端壁には下端が外部空間の中に位置している前記送水ホースが設置され、前記送水ホースの下端が前記噴射ブロックと固定的に連結され、且つ前記送水ホースが前記メイン流れ道に連通しており、前記壁の下端壁には四つの前記固定ブロックが固定され、前記固定ブロックの中には下方に開口したばね溝が形成されており、前記ばね溝の上端壁には前記連結ばねが固定され、前記連結ばねの下端には下端が前記円環チャンバの上端壁を貫通し、且つ前記昇降ブロックと連結された前記固定ロッドが固定されている。
【００１２】
さらに、前記駆動軸と前記駆動ギヤとの間の摩擦力が大きいため、前記駆動軸が回転する時に前記駆動ギヤを回転連動させることができ、また前記電磁石が作動する時に前記駆動ギヤは前記駆動軸でスライドすることができる。
【００１３】
さらに、前記遠心輪は回転して遠心運動が発生する時、前記遠心輪は前記回字型ブロックを支えることができる。
【００１４】
さらに、前記四つの連結ばねの弾力の総量は二つの伸縮ばねと四つの伸縮ばねの弾力との総量より大きく、前記一つの連結ばねの弾力は二つの伸縮ばねと四つの圧縮ばねの弾力の総量より小さい。
【００１５】
さらに、前記ベルトは初期状態の下で緩め状態にあり、前記円錐形柱は下降した後に前記ベルトをきつく締めることができる。
【発明の効果】
【００１６】
本発明の有益な効果は：本装置は構成が簡単で、操作が便利であり、本装置は作動する時に四周に水を噴射して火を消すことができれば、需要によって四周に噴射された水を集めて加圧して噴射することもでき、また噴射の角度を調節でき、それによって火を集中して消すことに便利を与え、且つ水を噴射する範囲を増加し、それによって逃亡者の逃亡に便利である。
【図面の簡単な説明】
【００１７】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成概略図
【図２】図２は本発明の実施例のＡ―Ａの構成概略図
【図３】図３は本発明の実施例のＢ―Ｂの構成概略図
【図４】図４は本発明の実施例の回字型ブロックの全断面の左側面の拡大構成概略図
【発明を実施するための形態】
【００１９】
付図１〜４に示した上記のインテリジェント廊下煙報知消火設備の機械構成図を参照し、壁１及び前記壁１の中に位置している環状チャンバ２を含み、前記壁１の中には装置の作動に動力を提供できる駆動機構５５が設置され、前記壁１の下側には前記駆動機構５５に制御されて運動する噴射機構５６が設置され、前記駆動機構５５と前記噴射機構５６との間は昇降機構５７によって伝動を実現する。
【００２０】
前記壁１の下端面には装置を作動させ始めるか否かのを制御する煙報知器２１が固定され、前記壁１の中にはまた水を蓄えることができる貯水チャンバ４が設置され、前記煙報知器２１が火災の発生をセンサーした時、貯水チャンバ４の中に水を加え、同時に前記煙報知器２１は集中して一方向に噴射する必要があるか否かを判断し、必要であれば前記駆動機構５５を制御して作動させ、噴射機構５６を一方向に回転させ、そして前記駆動機構５５の出力する動力を高めることによって、前記貯水チャンバ４から流す水の圧力が増加し、それによって前記噴射機構５６によって噴射する水がより遠く、水を集中して火を消すことに便利を与え、前記噴射機構５６が水を分散して噴射する必要があれば、前記煙報知器２１は前記駆動機構５５の作動を制御しなく、前記貯水チャンバ４の中の水が直接に前記噴射機構５６によって四周に分散して噴射される。
【００２１】
前記駆動機構５５はモーター１３と、駆動軸１８と、駆動ギヤ２０と、駆動盤４９と、回転盤３と、円錐形柱１０と、円柱５０と、二つの位置制限板５３と、二つ位置制限ばね５２と、回字型ブロック１９と、従動軸１７と、第一ベベルギヤ１１と、第二ベベルギヤ１４と、遠心輪１６と、ベルト９と、タービン羽根車軸７と、第二ベルトプーリ６と、タービン羽根車８と、第一ベルトプーリ１２と、電磁石６１と水入りパイプ５８とを含み、前記環状チャンバ２の中には前記駆動盤４９と前記回転盤３とが設置され、前記回転盤３の上端には前記円錐形柱１０が固定され、前記駆動盤４９の中には前記駆動盤４９を貫通した貫通チャンバ５１が設置され、前記貫通チャンバ５１の前後端壁の中にはいずれも前記貫通チャンバ５１に連通した位置制限溝５４が形成されており、前記貫通チャンバ５１の中には上端が前記回転盤３を上方へプッシュする前記円柱５０が設置され、前記円柱５０の前後両端にはいずれも一端が前記位置制限溝５４の中に位置している位置制限板５３が設置され、前記位置制限溝５４の中の上端壁には下端が前記位置制限板５３と連結された前記位置制限ばね５２が設置され、前記環状チャンバ２の左端壁の中には前記環状チャンバ２に連通した駆動チャンバ１５が設置され、前記駆動チャンバ１５の上端壁には前記モーター１３が設置され、前記モーター１３の下端には前記駆動軸１８が動力が伝達できるように連結され、前記駆動軸１８には前記第一ベベルギヤ１１と前記第一ベルトプーリ１２とが固定され、前記駆動軸１８にはまた前記駆動盤４９の左端と噛み合っている前記駆動ギヤ２０がスライドできるように連結され、前記駆動チャンバ１５の中には回字型ブロック１９が設置され、前記回字型ブロック１９の下側にはまた前記電磁石６１が設置され、前記駆動チャンバ１５の左側壁には前記回字型ブロック１９の中心を通過する前記従動軸１７が回転できるように連結され、前記従動軸１７には前記第一ベベルギヤ１１の左端と噛み合っている前記第二ベベルギヤ１４が固定され、前記従動軸１７にはまた回転する時に前記回字型ブロック１９を上方へプッシュする前記遠心輪１６が固定され、前記駆動ギヤ４９の左端が前記回字型ブロック１９の中心を貫通しており、前記貯水チャンバ４の上端壁の中には従動チャンバ５が設置され、前記従動チャンバ５の上端壁には下端が前記貯水チャンバ４の中に位置している前記タービン羽根車軸７が回転できるように連結され、前記タービン羽根車軸７の下端には前記タービン羽根車８が固定され、且つ前記タービン羽根車軸７の上端には前記第二ベルトプーリ６が固定され、前記第一ベルトプーリ１２と前記第二ベルトプーリ６との間が前記ベルト９によって連結され、また前記円錐形柱１０の下端が前記ベルト９の中心に位置している。
【００２２】
前記噴射機構５６はメイン流れ道５９と、四つの分流道３０と、二つの伸縮ばね４５と、環状板４３と、四つのＬロッド４１と、環状ブロック４０と、四つの昇降ブロック４２と、四つの切断板３７と、四つの圧縮ばね３９と、二本のロープ３６と、二つの切断ブロック３４と、二つの従動ばね３５と、噴射ブロック２９とを含み、前記壁１の下側には前記噴射ブロック２９が設置され、前記噴射ブロック２９の中には前記噴射ブロック２９を貫通した前記メイン流れ道５９が形成されており、前記噴射ブロック２９の中にはまた四つの外部空間と前記メイン流れ道５９とを連通した前記分流道３０が設置され、前記噴射ブロック２９の中には前記メイン流れ道５９を中心に設置された円環チャンバ３１が設置され、前記円環チャンバ３１の内壁の中にはまた前記円環チャンバ３１に連通した環状溝４４が形成されており、前記環状溝４４の中には前記環状板４３及び二つの前記環状板４３を復帰させることができる前記伸縮ばね４５が設置され、前記円環チャンバ３１の中には四つの前記昇降ブロック４２及び一つの前記環状ブロック４０が設置され、前記環状板４３の下端には四つの一端が前記円環チャンバ３１の中に位置しており、且つ前記昇降ブロック４２と前記環状ブロック４とに挟まれた前記Ｌロッド４１が固定され、前記環状ブロック４０の下端には下端が前記円環チャンバ３１の下端壁と連結された四つの前記圧縮ばね３９が固定され、前記円環チャンバ３１の下端壁には四つの前記分流道３０を貫通した昇降溝３２が形成されており、前記昇降溝３２の中には前記分流道３０を切断でき、且つ上端が前記環状ブロック４０と連結された前記切断板３７が設置され、前記切断板３７の中には前記切断板３７を貫通し、且つ前記分流道３０に連通した貫通穴３８が設置され、前記噴射ブロック２９の中にはまた前記メイン流れ道５９を切断できる移動チャンバ３３が設置され、前記移動チャンバ３３の中には二つの前記メイン流れ道５９を切断できる前記切断ブロック３４が設置され、前記切断ブロック３４と前記移動チャンバ３３の端壁との間が前記従動ばね３５によって連結され、左右両側の前記切断板３７の下端にはいずれもロープ３６が固定され、前記ロープ３６の下端が前記移動チャンバ３３の端壁を貫通し、且つ前記切断ブロック３４と連結されている。
【００２３】
前記昇降機構５７は四つの昇降板４８と、四本の昇降ロッド４６と、八つの昇降ばね４７と、四つの円球２７と、四つの固定ブロック２２と、四つの連結ばね２４と、四つの固定ロッド２６と、送水ホース２５とを含み、前記環状チャンバ２の下端壁の中には四つの上方に開口した昇降チャンバ６０が設置され、前記昇降チャンバ６０の中には前記昇降板４８及び二つの前記昇降板４８を支持する前記昇降ばね４７が設置され、前記噴射ブロック２９の上端には上方に開口した四つの円溝２８が形成されており、前記円溝２８の中には回転できるが前記円溝２８から離れることができない前記円球２７が設置され、前記昇降板４８の下端には下端が前記昇降チャンバ６０の下端壁と前記円溝２８の上端壁とを貫通し、且つ前記円球２７と連結された前記昇降ロッド４６が固定され、前記貯水チャンバ４の下端壁には下端が外部空間の中に位置している前記送水ホース２５が設置され、前記送水ホース２５の下端が前記噴射ブロック２９と固定的に連結され、且つ前記送水ホース２５が前記メイン流れ道５９に連通しており、前記壁１の下端壁には四つの前記固定ブロック２２が固定され、前記固定ブロック２２の中には下方に開口したばね溝２３が形成されており、前記ばね溝２３の上端壁には前記連結ばね２４が固定され、前記連結ばね２４の下端には下端が前記円環チャンバ３１の上端壁を貫通し、且つ前記昇降ブロック４２と連結された前記固定ロッド２６が固定されている。
【００２４】
装置全体の機械的作動の順序は：
【００２５】
１、煙報知器２１が作動して噴射機構５６に水を分散して噴射させ又は水を集中して噴射させることを判断し、分散して噴射すると、水入りパイプ５８が貯水チャンバ４の中へ水を送り、送水ホース２５を通じてメイン流れ道５９の中へ水を送り、移動ブロック３４がメイン流れ道５９の下端を切断し、それによって水が分流道３０から噴射される。
【００２６】
２、噴射機構５６に水を集中して噴射する時、モーター１３が作動して駆動軸を回転させ、それによって駆動ギヤ２０を回転させ、それによって駆動盤４９を回転させ、貫通チャンバ５１が駆動盤４９とともに昇降チャンバ６０の上側に位置するまで回転した時、位置制限ばね５２が位置制限板５３と円柱５０とを下降連動させ、それによって昇降板４８を下降させ、昇降ばね４７が下降し、一つの昇降板４８の下降は昇降ロッド４６を下降させ、それによって噴射ブロック２９の一端を下降させ、それによって噴射ブロック２９を傾斜させ、それによってメイン流れ道５９の下端の出口を傾斜させる。
【００２７】
３、噴射ブロック２９の傾斜方向を決めた後、電磁石６１を作動させ、回字型ブロック２０を上方へ運動させ、それによって駆動ギヤ２０を上方へ運動させ、且つ駆動盤４９との噛合から離脱させ、この時にモーター１３が出力を増やし、それによって駆動軸１８がより速く回転し、それによって第一ベベルギヤ１１と、第二ベベルギヤ１４と、従動軸１７と、遠心輪１６とを快速回転させ、それによって遠心輪１６が中心から遠ざかり、且つ遠心輪１６の上端が回字型ブロック１９をプッシュし、この時に電磁石６１は作動しなくなる。
【００２８】
４、円柱５０の下降によって、回転盤３が下降し、それによって円錐形柱１０が下降し、それによって円錐形柱１０の上端がベルト９を引っ張り、それによって第一ベルトプーリ１２と第二ベルトプーリ６との間の伝動を実現し、それによって駆動軸１８の動力をタービン羽根車軸７に伝達し、それによってタービン羽根車８を回転させ、それによって貯水チャンバ４の中の水を排出する時の圧力を増やす。
【００２９】
５、噴射ブロック２９の傾斜によって、三所の昇降ブロック４２と環状ブロック４０との間の距離が増加され、また、この三所のＬロッド４１は昇降ブロック４２と環状ブロック４０とに挟まなくなり、それによって四つの圧縮ばねと二つの伸縮ばね４５とが復帰し、それによって一つの連結ばね２４が圧縮され、それによってＬロッド４１が上方へ運動して再び昇降ブロック４２と接触し、環状ブロック４０が上方へ運動して切断板３７を上方へ運動連動させて分流道３０を切断し、切断板３７が上方へ運動してロープ３６の伝動によって切断ブロック３７の一端をメイン流れ道５９から離れさせ、加圧された水は送水ホース２５とメイン流れ道５９とを通過した後噴き出される。
【００３０】
６、装置を復帰させる時、モーター１３は作動を停止し、遠心輪１６が回転しなくなり、且つ復帰し、それによって回字型ブロック１９と駆動ギヤ２０とを下降させ、また駆動ギヤ２０と駆動盤４９とが再び噛み合い、この時にモーター１３が回転して駆動軸１８と駆動ギヤ２０とを回転連動させ、それによって駆動盤４９を回転連動させ、それによって円柱５０が昇降チャンバ６０から離れ、それによって位置制限ばね５２が圧縮され、また円柱５０が再び上方へ突き出て回転盤３と円錐形柱１０とを上方へプッシュし、それによってベルト９が再び緩められ、円柱５０の離れによって昇降板４８が復帰し、それによって四本の昇降ロッド４６が再び同じ高さに位置し、噴射ブロック２９が復帰し、それによって昇降ブロック４２が再びＬロッド４１と環状ブロック４０とを下方へ推し、それによって貫通穴３８が再び分流道３０に連通し、装置が復帰する。
【００３１】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。